(57)【要約】シリンジアダプタが、ハウジングと、第１の端部および第２の端部を有するカニューレであって、カニューレの第２の端部は、ハウジング内に配置される、カニューレと、第１の端部および第２の端部を有するコレットであって、コレットの少なくとも一部分はハウジング内で受け取られる、コレットとを含む。コレットは、通路を画定する本体を含み、この通路によってメンブレンが受け取られる。コレットは、コレットの本体に接続されたロッキング部材を含む。メンブレンは、第１の端部および第２の端部を有する本体を含み、コレットは、相手側コネクタを受け取るようにロッキング部材が開いている第１の位置から、ロッキング部材の半径方向外向きの動きが制限される第２の位置へ可動である。コレットの本体の通路は、メンブレンの本体の一部分を圧縮するように構成された狭部を含む。
2020503979.tif 000002
【特許請求の範囲】
【請求項１】
第１の端部および第２の端部を有するハウジングであって、前記第１の端部は、第１の容器に固定されるように構成されている、ハウジングと、
第１の端部および第２の端部を有するカニューレであって、前記カニューレの前記第２の端部は、前記ハウジング内に配置されている、カニューレと、
第１の端部および第２の端部を有するコレットであって、前記コレットの少なくとも一部分は前記ハウジング内に受け取られる、コレットとを備え、前記コレットは、通路を画定する本体と、前記通路によって受け取られるメンブレンと、前記コレットの前記本体に接続されたロッキング部材とを備え、前記メンブレンは、第１の端部および第２の端部を有する本体を備え、前記コレットは、相手側コネクタを受け取るようにロッキング部材が開いている第１の位置からロッキング部材の半径方向外向きの動きが制限される第２の位置へ可動であり、前記コレットの前記本体の前記通路は、前記メンブレンの前記本体の一部分を圧縮するように構成された狭部を備える、
シリンジアダプタ。
【請求項２】
前記コレットの前記本体の前記通路は、第１のカウンターボアと、前記第１のカウンターボアの反対側に配置された第２のカウンターボアと、中間部分とを備え、前記コレットの前記本体の前記通路の前記中間部分は、前記狭部を含む請求項１に記載のシリンジアダプタ。
【請求項３】
前記通路の前記狭部は、前記通路の前記中間部分の残りの部分より小さい直径を有する請求項２に記載のシリンジアダプタ。
【請求項４】
前記メンブレンは、第１の頭部および第２の頭部を有し、前記第１および第２の頭部は、前記メンブレンの前記本体から半径方向外向きに延び、前記メンブレンの前記本体は、第１の直径を有する第１の部分と、第２の直径を有する第２の部分とを有し、前記第１の直径は、前記第２の直径より小さい請求項３に記載のシリンジアダプタ。
【請求項５】
前記コレットの前記本体の前記通路の前記中間部分は、前記メンブレンの前記第１の部分を受け取る請求項４に記載のシリンジアダプタ。
【請求項６】
前記コレットの前記本体の前記通路の前記第２のカウンターボアは、前記メンブレンの前記第２の部分を受け取る請求項５に記載のシリンジアダプタ。
【請求項７】
前記メンブレンの前記本体は、通路を画定する請求項１に記載のシリンジアダプタ。
【請求項８】
前記メンブレンの前記通路は、前記メンブレンの前記本体の前記第１の端部から前記メンブレンの前記本体の前記第２の端部に向かって延びる請求項７に記載のシリンジアダプタ。
【請求項９】
前記メンブレンの前記通路は、前記メンブレンの前記本体の前記第１の端部と前記第２の端部の中間の位置で終端する請求項８に記載のシリンジアダプタ。
【請求項１０】
前記メンブレンは、第１の頭部および第２の頭部を含む請求項２に記載のシリンジアダプタ。
【請求項１１】
前記メンブレンの前記第１の頭部は、前記コレットの前記通路内に配置され、前記第２の頭部は、前記コレットの前記本体の端部に係合される請求項１０に記載のシリンジアダプタ。
【請求項１２】
前記第１の頭部は、円錐台表面を含む請求項１０に記載のシリンジアダプタ。
【請求項１３】
前記第２の頭部は、凸表面を含む請求項１２に記載のシリンジアダプタ。
【請求項１４】
前記メンブレンの前記第１の頭部は、前記コレットに係合し、前記第１のカウンターボア内に配置される請求項１０に記載のシリンジアダプタ。
【請求項１５】
前記コレットの前記通路は、第１の部分および第２の部分を有し、前記通路の前記第１の部分は、前記狭部を含む請求項１に記載のシリンジアダプタ。
【請求項１６】
前記コレットの前記通路の前記第１の部分は、前記コレットの前記通路の前記第２の部分より小さい直径を有する請求項１５に記載のシリンジアダプタ。
【発明の詳細な説明】
【技術分野】
【０００１】
本開示は、一般に流体を閉鎖式移送（closed transfer）するためのシステムに関する。より詳細には、本開示は、第１の容器から第２の容器への流体移送中に漏れ止め封止を提供するシステムに関する。
【背景技術】
【０００２】
関連出願の相互参照
本願は、その全体が参照により本明細書に組み込まれる２０１７年１月１７日に出願された米国特許仮出願第６２／４４７，０３８号明細書に対する優先権を主張する。
【０００３】
癌治療薬など危険薬物を再形成、輸送、および投与する保健医療提供者は、これらの医薬品に対する暴露というリスクに保健医療提供者をさらし、ヘルスケア環境において大きな危険をもたらす可能性がある。たとえば、癌患者を扱う看護師は、化学療法薬物およびそれらの毒性作用に暴露されるリスクを負う。不測の化学療法に対する暴露は、神経系に影響を及ぼし、生殖器系を損ない、将来において血液癌を成長させる高いリスクをもたらし得る。保健医療提供者が毒性薬物に暴露するリスクを低減するために、これらの薬物の閉鎖式移送が重要になる。
【０００４】
一部の薬物は、投与される前に溶解され、または希釈されなければならず、これは、溶媒を１つの容器から粉末または液体の形態の薬物が入った封止されたバイアルへ針によって移送することを必要とする。
【先行技術文献】
【特許文献】
【０００５】
【特許文献１】米国特許出願公開第２０１５／０２９７４５４号明細書
【発明の概要】
【発明が解決しようとする課題】
【０００６】
針をバイアルから引き抜いている間、および針がバイアル内にある間に、バイアルの内部と周囲の大気との間に圧力差がある場合、薬物は、気体の形態で、またはエアゾール化によって大気中に不注意で解放され得る。
【課題を解決するための手段】
【０００７】
一態様では、シリンジアダプタが、第１の端部および第２の端部を有するハウジングであって、第１の端部は、第１の容器に固定されるように構成されている、ハウジングと、第１の端部および第２の端部を有するカニューレであって、カニューレの第２の端部は、ハウジング内に配置される、カニューレと、第１の端部および第２の端部を有するコレットであって、コレットの少なくとも一部分はハウジング内で受け取られる、コレットとを含む。コレットは、通路を画定する本体を含み、この通路によってメンブレンが受け取られる。コレットは、コレットの本体に接続されたロッキング部材を含む。メンブレンは、第１の端部および第２の端部を有する本体を含み、コレットは、相手側コネクタを受け取るようにロッキング部材が開いている第１の位置から、ロッキング部材の半径方向外向きの動きが制限される第２の位置へ可動である。コレットの本体の通路は、メンブレンの本体の一部分を圧縮するように構成された狭部を含む。
【０００８】
コレットの本体の通路は、第１のカウンターボアと、第１のカウンターボアの反対側に配置された第２のカウンターボアと、中間部分とを含んでもよく、コレットの本体の通路の中間部分は、狭部を含む。通路は、通路の中間部分の残りの部分より小さい直径を有してもよい。メンブレンは、第１の頭部および第２の頭部を有してもよく、第１の頭部および第２の頭部は、メンブレンの本体から半径方向外向きに延び、メンブレンの本体は、第１の直径を有する第１の部分と、第２の直径を有する第２の部分とを有する。第１の直径は、第２の直径より小さくてもよい。コレットの本体の通路の中間部分は、メンブレンの第１の部分を受け取り得る。コレットの本体の通路の第２のカウンターボアは、メンブレンの第２の部分を受け取り得る。
【０００９】
メンブレンの本体は、メンブレンの本体の第１の端部からメンブレンの本体の第２の端部に向かって延び得る通路を画定し得る。メンブレンの通路は、メンブレンの本体の第１の端部および第２の端部の中間の位置で終端し得る。
【００１０】
メンブレンは、第１の頭部および第２の頭部を含んでもよい。メンブレンの第１の頭部は、コレットの通路内に配置され得、第２の頭部は、コレットの本体の端部に係合される。第１の頭部は、円錐台表面を含んでもよい。第２の頭部は、凸表面を含んでもよい。メンブレンの第１の頭部は、コレットに係合し得、第１のカウンターボア内に配置され得る。
【００１１】
コレットの通路は、第１の部分および第２の部分を有してもよく、通路の第１の部分は、狭部を含む。コレットの通路の第１の部分は、コレットの通路の第２の部分より小さい直径を有してもよい。
【図面の簡単な説明】
【００１２】
本開示の態様の以下の説明を添付の図面と共に参照することによって、本開示の上述および他の特徴および利点、ならびにそれらを達成する仕方がより明らかになり、本開示それ自体がよりよく理解されることになる。
【００１３】
【図１】本発明の一態様によるシリンジアダプタの断面図である。
【図２】本発明の一態様によるシリンジアダプタの断面図である。
【図３】本発明の一態様によるコレットの斜視図である。
【図４】図３のコレットの断面図である。
【図５】本発明の一態様による流体を閉鎖式移送するためのシステムの正面図である。
【図６】図５のシステムの断面図である。
【図７Ａ】本発明の一態様による第１のメンブレンの正面図である。
【図７Ｂ】図７Ａの第１のメンブレンの断面図である。
【図８Ａ】本発明の一態様による第１のメンブレンの正面図である。
【図８Ｂ】図８Ａの第１のメンブレンの断面図である。
【図９Ａ】本発明の一態様による第１のメンブレンの正面図である。
【図９Ｂ】図９Ａの第１のメンブレンの断面図である。
【図１０Ａ】本発明の一態様による第１のメンブレンの正面図である。
【図１０Ｂ】図１０Ａの第１のメンブレンの断面図である。
【図１１Ａ】本発明の一態様による第１のメンブレンの正面図である。
【図１１Ｂ】図１１Ａの第１のメンブレンの断面図である。
【図１２Ａ】本発明の一態様による第１のメンブレンの正面図である。
【図１２Ｂ】図１２Ａの第１のメンブレンの断面図である。
【図１３Ａ】本発明の一態様による第１のメンブレンの正面図である。
【図１３Ｂ】図１３Ａの第１のメンブレンの断面図である。
【図１４Ａ】本発明の一態様による第２のメンブレンの正面図である。
【図１４Ｂ】図１４Ａの第２のメンブレンの断面図である。
【図１５Ａ】本発明の一態様による第２のメンブレンの正面図である。
【図１５Ｂ】図１５Ａの第２のメンブレンの断面図である。
【図１６Ａ】本発明の一態様による第２のメンブレンの正面図である。
【図１６Ｂ】図１６Ａの第２のメンブレンの断面図である。
【図１７Ａ】本発明の一態様による第２のメンブレンの正面図である。
【図１７Ｂ】図１７Ａの第２のメンブレンの断面図である。
【図１８Ａ】本発明の一態様による第２のメンブレンの正面図である。
【図１８Ｂ】図１８Ａの第２のメンブレンの断面図である。
【図１９Ａ】本発明の一態様による第２のメンブレンの正面図である。
【図１９Ｂ】図１９Ａの第２のメンブレンの断面図である。
【図２０】本発明の一態様による流体を閉鎖式移送するためのシステムの正面図である。
【図２１】図２０に示されているシステムの断面図である。
【図２２】本発明の一態様によるシリンジアダプタの断面図である。
【図２３】本発明の一態様によるシリンジアダプタの断面図である。
【図２４】本発明の一態様によるシリンジアダプタの正面図である。
【図２５】本発明の一態様による流体を閉鎖式移送するためのシステムの正面図である。
【図２６】図２５のシステムの断面図である。
【図２７】シリンジアダプタに固定された患者コネクタを示す、図２５のシステムの断面図である。
【図２８】本発明の一態様による図２５の患者コネクタの上面図である。
【図２９】シリンジアダプタに固定された患者コネクタを示す、図２５のシステムの拡大断面図である。
【図３０】本発明の一態様による流体を閉鎖式移送するためのシステムの斜視図である。
【図３１】図３０のシステムの断面図である。
【図３２】ロック機構がロック解除位置にある状態の、シリンジアダプタに固定された患者コネクタを示す、図３０のシステムの断面図である。
【図３３】ロック機構がロック位置にある状態の、シリンジアダプタに固定された患者コネクタを示す、図３０のシステムの斜視図である。
【図３４】ロック機構がロック位置にある状態の、シリンジアダプタに固定された患者コネクタを示す、図３０のシステムの断面図である。
【図３５】本発明の一態様による図３０のシステムの分解斜視図である。
【００１４】
いくつかの図を通じて、対応する符号は対応する部分を示す。本明細書に記載の例示は、本開示の例示的な態様を示し、そのような例示は、決して本開示の範囲を限定するものと解釈されるべきでない。
【発明を実施するための形態】
【００１５】
以下の説明は、本発明を実施することが企図されている記載の態様を当業者がなし、使用することを可能にするために提供されている。しかし、様々な修正、均等物、変形形態、および代替が、依然として当業者にとって容易に明らかなままとなろう。そのような修正、均等物、および代替の一切が本発明の精神および範囲内に入ることが意図されている。
【００１６】
以下の説明のために、「上側」「下側」「右」「左」「垂直」「水平」「上部」「底部」「側方」「長手方向」という用語、およびそれらの派生語は、図面の図において向けられているままの本発明に関するものとする。しかし、本発明は、反対に明示的に指定されている場合を除いて、様々な代替の変形形態をとり得ることを理解されたい。また、添付の図面に示され以下の明細書に記載されている特定のデバイスは、本発明の例示的な態様にすぎないことを理解されたい。したがって、本明細書に開示されている態様に関連する特定の寸法および他の物理特性は、限定するものとみなされるべきでない。
【００１７】
図１を参照すると、本発明の一態様によるシリンジアダプタ１２が示されている。シリンジアダプタ１２は、流体を閉鎖式移送するためのシステムの１つの構成部品である。具体的には、シリンジアダプタ１２は、シリンジ（図示せず）を別の医療デバイスまたは流体容器に接続するように構成される。医療デバイスは、たとえば、患者ライン、バイアルアダプタ、流体容器、または注入アダプタとすることができる。他の例では、容器は、医療バイアル、シリンジバレル、ＩＶバッグ、または患者に投与されることになる流体を保持するための同様の容器とすることができる。シリンジアダプタ１２は、シリンジと医療デバイスまたは流体容器との間で流体の閉鎖式移送を容易にするために使用することができる。シリンジアダプタ１２は、その全体が参照により本明細書に組み込まれる特許文献１に示され記載されているシリンジアダプタと同様のものであり、またはそれと同様に動作する。
【００１８】
図１を再び参照すると、シリンジアダプタ１２はハウジング１６を含み、ハウジング１６は、第１の端部１８および第２の端部２０を有し、内部空間２２を画定する。シリンジアダプタ１２のハウジング１６の第１の端部１８は、通路２６を画定する、雌ルアーコネクタなどシリンジ取付部２４を含む。雌ルアーコネクタはシリンジの対応する雄ルアーコネクタ（図示せず）と接続するように示されているが、他の好適な接続構成がシリンジ、容器、または任意の他の医療デバイスに接続するために使用されてもよい。遠位端３０を有するカニューレ２８がシリンジ取付部２４に固定され、シリンジ取付部２４の通路２６と流体連通する。シリンジアダプタ１２は、シリンジアダプタ１２のハウジング１６内に配置されたシール構成をさらに含む。このシール構成は、第１のメンブレン３４を受け取るコレット３２を含む。コレット３２は、下記でより詳細に論じるようにシリンジアダプタ１２のハウジング１６の内部空間２２内で動くように構成される。シリンジアダプタ１２のハウジング１６は、ユーザによるシリンジアダプタ１２の把持を向上させるための構造を含んでもよい。ユーザがシリンジアダプタ１２の本体を把持する助けとなるように、追加または代替のグリップ構造および表面が設けられてもよい。
【００１９】
シリンジアダプタ１２は、シリンジアダプタ１２のハウジング１６の第１の端部１８と第２の端部２０の中間に配置された第１の接続インターフェース３６を含み、第１の接続インターフェース３６は、シリンジアダプタ１２ハウジング１６内の横断方向開口４０内で受け取られるロック部材３８を含む。ロック部材３８は、閉位置と開位置との間で動くように構成される。ロック部材３８は、シリンジアダプタ１２の長手方向に延びる片持ばね４６をさらに含む。ロック部材３８は、シリンジアダプタ１２のハウジング１６から半径方向外向きに延びるカム表面に係合するように構成される。具体的には、ロック部材３８は、外力がロック部材３８に加えられないときロック部材３８の中央開口に隣接するロック部材３８の一部分がシリンジアダプタ１２の内部空間２２内に配置される閉位置において提供されるように構成される。ロック部材３８の中央開口がシリンジアダプタ１２の内部空間２２と位置合わせされる、または内部空間２２内に挿入される物体に対する干渉もしくは障壁を生み出さない開位置にロック部材３８が動かされたとき、片持ばね４６は、カム表面と係合し、ロック部材３８を閉位置に向かって押し戻す付勢力を生み出す。したがって、ロック部材３８が開位置に動かされたとき、ロック部材３８は、ロック部材３８に作用する外力が解放されたとき閉位置に押し戻されることになる。ロック部材３８は片持ばね４６と共に示されているが、それだけには限らないが圧縮ばね、引張ばね、エラストマー材料などを含めて、任意の他の好適な付勢部材が提供されてもよい。
【００２０】
図１および図３を参照すると、コレット３２は、第１の端部５４および第２の端部５６を有する本体５２を有する。本体５２は、本体５２を通って延びる通路５８を画定する。本体５２は、概して円筒形であるが、他の好適な形状のコレットが使用されてもよい。コレット３２は、コレット３２の本体５２に接続されたロッキング部材６０をさらに含む。コレット３２は、ロッキング部材６０が開いて患者コネクタなど相手側コネクタを受け取る第１の位置から、ロッキング部材６０の半径方向外向きの動きが制限される第２の位置へ可動である。ロッキング部材６０は、複数のアーム６２を介して本体５２に接続される。ロッキング部材６０は、弓状であり、ロッキング部材６０が複数のアーム６２を介して本体５２に接続される結果として弾性である。より具体的には、複数のアーム６２は、可撓性であり、ロッキング部材６０が半径方向外向きまたは半径方向内向きに延びることを可能にする。一態様では、ロッキング部材６０は、患者コネクタなど相手側コネクタがロッキング部材６０内に挿入されたとき半径方向外向きに延びるように構成され、その後、コレット３２が第１の位置から第２の位置へ移行するにつれて半径方向内向きに動く。あるいは、ロッキング部材６０は、相手側コネクタがロッキング部材６０内に挿入されたとき半径方向内向きまたは外向きに動くことができず、その後、コレット３２が第１の位置から第２の位置へ移行するにつれて半径方向内向きに動いてもよい。シリンジアダプタ１２のハウジング１６の第２の端部２０は、コレット３２が第１の位置にあるときロッキング部材６０を受け取る内部空間２２に隣接する環状の凹部６４を画定する。ハウジング１６の環状の凹部６４は、ロッキング部材６０が半径方向外向きに延びるための空間を提供する。コレット３２が第１の位置から第２の位置へ移行するとき、コレット３２は、シリンジアダプタ１２の第１の端部１８に向かって軸方向に動き、ロッキング部材６０は、ロッキング部材６０がシリンジアダプタ１２のハウジング１６に係合するため、半径方向内向きに付勢される。
【００２１】
図３に示されているように、コレット３２のロッキング部材６０は、コレット３２の長手方向軸に対して直交する方向に延びる１対の開口６６を画定する。開口６６は、ロッキング部材６０を二股に分け、それぞれが２つのアーム６２によってコレット３２の本体５２に接続される２つの弓状部分にする。しかし、コレット３２およびロッキング部材６０のために他の好適な構成および形状が使用されてもよい。コレット３２のロッキング部材６０は、複数のアーム６２に対して半径方向内向きおよび半径方向外向きに突出する。
【００２２】
図１および図３を再び参照すると、コレット３２の本体５２は、シリンジアダプタ１２の第１の接続インターフェース３６と対合しロックするように構成された第２の接続インターフェース７０を含む。第２の接続インターフェース７０は、コレット３２の本体５２によって画定される。コレット３２の第１の端部５４は、第１の接続インターフェース３６のロック部材３８が開位置にあるときシリンジアダプタ１２の内部空間２２内に受け取られ、ロック部材３８が閉位置にあるときシリンジアダプタ１２の内部空間２２内で動かないように制限されるように構成される。第２の接続インターフェース７０が第１の接続インターフェース３６に完全に対合されているとき、第１の接続インターフェース３６のロック部材３８は、閉位置にあり、第２の接続インターフェース７０に対する長手方向および横断方向の動きから第１の接続インターフェース３６をロックし、しかし依然として第２の接続インターフェース７０に対する回転運動を可能にするように構成されている。
【００２３】
図１を参照すると、コレット３２の本体５２の通路５８は、第１のカウンターボア６８と、第１のカウンターボア６８の反対側に配置された第２のカウンターボア７４と、第１のカウンターボア６８と第２のカウンターボア７４との間に配置された中間部分７６とを含む。
【００２４】
図３を参照すると、コレット３２の本体もまた、第１の端部５４と第２の端部５６の中間に配置された複数のリブ７８を含む。リブ７８は長手方向に延びるが、他の好適な構成が使用されてもよい。複数の凹部８０が隣接するリブ７８間に配置される。
【００２５】
図２〜図６を参照すると、本発明の一態様では、コレット３２の本体の通路５８は、第１のメンブレン３４の一部分を含むように構成された狭部７９を含む。一態様では、コレット３２の本体５２の通路５８の中間部分７６は、狭部７９を含む。通路５８の狭部７９は、通路５８の中間部分７６の残りの部分より小さい直径を有する。
【００２６】
図２および図６を参照すると、第１のメンブレン３４は、第１の端部８４および第２の端部８６を有する本体８２を含む。第１のメンブレン３４の本体８２の第１の端部８４および第２の端部８６は、それぞれ第１の頭部８８および第２の頭部９０を含む。第１のメンブレン３４の本体８２は、第１の端部８４から本体８２の第２の端部８６に向かって延びる通路９２を画定する。通路９２は、本体８２の第１の端部８４と第２の端部８６の中間の位置で終端する。第１のメンブレン３４の本体８２は、第１の端部８４と第２の端部８６の中間に配置された環状凹部８７をも画定する。第１のメンブレン３４の本体８２は、コレット３２の通路５８によって受け取られ、コレット３２に固定される。第１のメンブレン３４の第１の頭部８８は、コレット３２の第１のカウンターボア６８に係合する。第２の頭部９０は、コレット３２の本体５２の通路５８を越えて延び、第２の頭部９０は、コレット３２の本体５２に係合する。第１のメンブレン３４の環状凹部８７は、コレット３２の中間部分７６によって受け取られ、狭部７９は、第１のメンブレン３４の環状凹部８７に係合し、それを圧縮する。
【００２７】
第２の頭部９０は凸表面を画定するが、下記でより詳細に論じるように、他の好適なメンブレン構成が提供されてもよい。カニューレ２８は、第１のメンブレン３４の通路９２内に受け取られ、コレット３２が第１の位置にあるとき、カニューレ２８の遠位端３０が通路９２内に配置される。カニューレ２８の遠位端３０は、コレット３２が第１の位置から第２の位置へ移行するとき、第１のメンブレン３４を穿孔し、第１のメンブレン３４を通って延びるように構成される。第１のメンブレン３４は、シリンジアダプタ１２の使用中、カニューレ２８の中間部分に係合し、それを封止し、相手側構成部品との封止された漏れのない接続を維持するように構成される。
【００２８】
使用中、患者コネクタ９６、バイアルアダプタ、またはＩＶバッグスパイクからの第２のメンブレン９４など対応するメンブレンによって第１のメンブレン３４が係合したとき、コレット３２は、シリンジアダプタ１２の第１の端部１８に向かって動き、第１の位置から第２の位置へ移行するように構成されており、その結果、カニューレ２８の遠位端３０が第１のメンブレン３４を穿孔し、シリンジアダプタ１２をシリンジアダプタ１２に固定された対応するデバイスと流体連通させる。コレット３２が第１の位置に戻るとき、第１のメンブレン３４は、対応するメンブレンから係合解除され得、それにより、カニューレ２８の遠位端３０をコレット３２および第１のメンブレン３４の通路５８、９２内に配置させる。そのような構成は、不慮の針刺しを防止するようにカニューレ２８の遠位端３０を遮断し、また、シリンジアダプタ１２を使用するとき流体の移送中の流体の漏れを防止する。
【００２９】
図５および図６を参照すると、患者コネクタ９６は本体１０２を含み、本体１０２は、第１の端部１０４および第２の端部１０６を有し、本体１０２を通って延びる通路１０８を画定する。患者コネクタ９６の第１の端部１０４は、コレットインターフェース１１０をも含む。コレットインターフェース１１０は、患者コネクタ９６の本体１０２の第１の端部１０４に対して窪んでいる患者コネクタ９６の本体１０２の一部分によって画定される。患者コネクタ９６の本体１０２の第１の端部１０４は、第２のメンブレン９４を受け取るメンブレン座１１２をも含む。シリンジアダプタ１２に関連して上記で論じたように、患者コネクタ９６の第２のメンブレン９４は、シリンジアダプタ１２の第１のメンブレン３４に係合し、流体移送中、シリンジアダプタ１２との実質的に漏れのない接続を提供するように構成される。患者コネクタ９６の第２の端部１０６は、雄ルアーコネクタなどＩＶライン取付部を含むが、任意の他の好適な接続構成が使用されてもよい。
【００３０】
図２および図６を参照すると、上記で論じたように、コレット３２の本体５２の通路の狭部７９は、第１のメンブレン３４を圧縮する。具体的には、狭部７９は、第１のメンブレン３４の環状凹部８９を圧縮する。シリンジアダプタ１０の使用中、第１のメンブレン３４に作用する背圧が第１のメンブレン３４をコレット３２から押し出す可能性があり得る。狭部７９は、コレット３２と第１のメンブレン３４との間で追加の圧縮を加えることによって、背圧抵抗特徴部として働く。
【００３１】
図７Ａ〜図１３Ｂを参照すると、第１のメンブレン３４のさらなる態様が示されている。具体的には、様々な形状、構成、および空洞が第１のメンブレン３４のために使用され得る。図７Ａ〜図１３Ｂに示されている幾何形状は、相手側構成部品に押し込まれ、または引き出され得、２次的な組立プロセスまたは多数個構成のハウジングを必要とせずに保持され得る。第１のメンブレンの通路９２は、様々な形状、長さ、幅、および構成を含み得る。さらに、図１２〜図１３Ｂに示されているように、第１のメンブレン３４の第１の端部８４は、頭部または半径方向の突起を含まなくてもよい。
【００３２】
図１４Ａ〜図１９Ｂを参照すると、第２のメンブレン９４のさらなる態様が示されている。具体的には、様々な形状および構成が第２のメンブレン９４のために使用され得る。図１７Ａおよび図１７Ｂに示されているように、第２のメンブレン９４は、環状の凹部９８を含んでもよい。
【００３３】
図２１〜図２４を参照すると、本発明のさらなる態様によるシリンジアダプタ１２０および患者コネクタ１２２が示されている。シリンジアダプタ１２０は、図１に示されているシリンジアダプタ１２と同様のものであり、同様に動作する。しかし、図２１〜図２４のシリンジアダプタ１２０および患者コネクタ１２２は、異なる接続構成を含む。具体的には、第１および第２の接続インターフェース３６、７０を提供するのではなく、患者コネクタ１２２は、付勢部材１２６を有するロッキング機構１２４と、付勢部材１２６上に配置された係合部材１２８とを含む。係合部材１２８は、患者コネクタ１２２がシリンジアダプタ１２０によって受け取られたとき、シリンジアダプタ１２０のハウジング１６の一部分に係合し、患者コネクタ１２２をシリンジアダプタ１２０に固定するように構成される。ロッキング機構１２４は、患者コネクタ１２２と接続されて示されているが、ロッキング機構１２４は、それだけには限らないがバイアルアダプタ、注入アダプタなどを含めて、流体を閉鎖式移送するためのシステムの任意の好適な構成部品上に設けられてもよい。
【００３４】
ロッキング機構１２４の付勢部材１２６は、片持アームであるが、他の好適な付勢構成が使用されてもよい。係合部材１２８は、患者コネクタ１２２から半径方向外向きに延びる突起であるが、他の好適な突起が使用されてもよい。係合部材１２８は、患者コネクタ１２２をシリンジアダプタ１２０内に挿入している間、シリンジアダプタ１２０のハウジング１６の一部分に係合し、片持アームを介して係合部材１２８を半径方向内向きに付勢させるように構成される。また、係合部材１２８は、患者コネクタ１２２がシリンジアダプタ１２０内に完全に挿入されたとき、非付勢位置に戻り、患者コネクタ１２２をシリンジアダプタ１２０に固定するように構成される。したがって、患者コネクタ１２２をシリンジアダプタ１２０のハウジング１６内に挿入したとき、付勢部材１２６は、シリンジアダプタ１２０のハウジング１６との係合部材１２８の係合を通じて、半径方向内向きに偏向される。完全に挿入された後、付勢部材１２６は非付勢位置に戻り、係合部材１２８は、コレット３２が患者コネクタ１２２のコレットインターフェース１１０と係合した状態で、患者コネクタ１２２をシリンジアダプタ１２０内で保持する。患者コネクタ１２２を取り外すために、ユーザは、シリンジアダプタ１２０から離れる方向に軸方向の力を患者コネクタ１２２に加え、その結果、付勢部材１２６は、シリンジアダプタ１２０のハウジング１６との係合部材１２８の係合を通じて、係合部材１２８がシリンジアダプタ１２０のハウジング１６を越えて軸方向に偏向されるまで再び半径方向内向きに偏向される。また、コレット３２は、シリンジアダプタ１２に関連して上記で論じたものと同じようにして患者コネクタ１２２から解放されることになる。
【００３５】
図２１および図２３を参照すると、シリンジアダプタ１２０は、コレット３２をシリンジアダプタ１２０の第２の端部２０に向かって付勢し、コレット３２を第１の位置で維持するように構成されたコレット駆動部材１３２を含んでもよい。シリンジアダプタ１２０は、シリンジアダプタ１２に関連して上記で論じたものと同じようにして動作するが、コレット駆動部材１３２は、シリンジアダプタ１２０が患者コネクタ１２２など相手側コネクタと対合されたとき、ユーザがコレット駆動部材１３２の付勢力を克服し、コレット３２を第１の位置から第２の位置へ移動することを必要とする。コレット駆動部材１３２は、ばねであってよいが、他の好適な付勢構成が使用されてもよい。さらに、図２１〜図２３に示されているように、コレット３２は、コレットの第１の端部５４が平坦な表面１３４を画定して、第１のカウンターボア６８を含まなくてもよい。
【００３６】
図２５〜図２９を参照すると、本発明のさらなる態様によるシリンジアダプタ１５０および患者コネクタ１５２が示されている。シリンジアダプタ１５０は、図１に示されているシリンジアダプタ１２と同様のものであり、同様に動作する。しかし、図２５〜図２９のシリンジアダプタ１５０および患者コネクタ１５２は、異なる接続構成を含む。具体的には、第１および第２の接続インターフェース３６、７０を提供するのではなく、患者コネクタ１５２は、接続部材１５４を含む。接続部材１５４は、患者コネクタ１５２がシリンジアダプタ１５０によって受け取られたとき、シリンジアダプタ１５０のハウジング１６の一部分に係合し、患者コネクタ１５２をシリンジアダプタ１５０に固定するように構成される。接続部材１５４は患者コネクタ１５２と共に示されているが、接続部材１５４は、それだけには限らないがバイアルアダプタ、注入アダプタなどを含めて、流体を閉鎖式移送するためのシステムの任意の好適な構成部品上に設けられてもよい。
【００３７】
接続部材１５４は、患者コネクタ１５２から半径方向外向きに延びる突起である。接続部材１５４は、患者コネクタ１５２がシリンジアダプタ１５０によって受け取られたとき、シリンジアダプタ１５０のハウジング１６の凹部１５６によって受け取られ、患者コネクタ１５２をシリンジアダプタ１５０に固定する。接続部材１５４半球形であるが、他の好適な形状および構成が使用されてもよい。図２８に示されているように、３つの等間隔で離間された接続部材１５４が患者コネクタ１５２上に設けられているが、１つまたは複数の接続部材１５４が設けられてもよい。患者コネクタ１５２がシリンジアダプタ１５０のハウジング１６内に挿入されたとき、患者コネクタ１５２の第２のメンブレン９４は、シリンジアダプタ１２に関連して上記したように、コレット３２の第１のメンブレン３４に係合し、コレット３２を第２の位置に移動する。しかし、図２７および図２９に示されているように、コレット３２が第２の位置に移行するとき、接続部材１５４は、シリンジアダプタ１５０のハウジング１６に係合し、ハウジング１６の凹部１５６内に受け取られ、患者コネクタ１５２をシリンジアダプタ１５０にさらに固定する。患者コネクタ１５２を取り外すために、ユーザは、シリンジアダプタ１５０から離れる方向に軸方向の力を患者コネクタ１５２に加え、その結果、接続部材１５４は、シリンジアダプタ１５０のハウジング１６の凹部１５６からぱちんと外れる。また、コレット３２は、上記で論じたものと同じようにして患者コネクタ１５２から解放されることになる。
【００３８】
図３０〜図３５を参照すると、本発明のさらなる態様によるシリンジアダプタ１７０および患者コネクタ１７２が示されている。シリンジアダプタ１７０は、図１に示されているシリンジアダプタ１２と同様のものであり、同様に動作する。しかし、図２５〜図２９のシリンジアダプタ１７０は、異なる接続構成を含む。シリンジアダプタ１７０は、ロック解除位置（図３１および図３２に図示）とロック位置（図３３および図３４に図示）との間で可動なロック機構１７４を含む。コレット３２は、コレット３２が第２の位置にあるとき、かつロック機構１７４がロック位置にあるとき、ロック機構１７４に係合するように構成されたロックインターフェース１７４を含む。ロック機構１７４は、コレット３２が第２の位置にあるとき、かつロック機構１７４がロック解除位置にあるとき、ロックインターフェース１７６から係合解除される。ロック機構１７４は、ロック位置とロック解除位置との間でユーザによって手動で可動であるが、他の好適な構成が使用されてもよい。
【００３９】
ロック機構１７４は、第１の端部１７８および第２の端部１８０を有し、コレット３２を受け取るように構成された開口１８２を画定する。ロック機構１７４がロック解除位置にあるとき、ロック機構１７４の第１の端部１７８がハウジング１６から突出し、ロック機構１７４の第２の端部１８０がハウジング１６内に受け取られる。ロック機構１７４がロック位置にあるとき、ロック機構１７４の第１の端部１７８がハウジング１６内に受け取られ、ロック機構１７４の第２の端部１８０がハウジング１６から突出する。ロック機構の第２の端部１８０は、インジケータ１８４を含む。インジケータ１８４は、ロック機構１７４の残りの部分とは異なるロック機構１７４の着色部分であってもよい。着色部分は、赤などドミナントカラーであってもよい。ロック機構１７４は、シリンジアダプタ１７０のハウジング１６の横断方向開口４０内に受け取られ、ハウジング１６に係合するロック機構１７４の第１の端部１７８と第２の端部１８０の中間に配置されたロック機構１７４の保持部分１８６を介してハウジング１６内で保持される。
【００４０】
図３２に示されているように、コレット３２が第２の位置に動かされた状態で患者コネクタ１７２がシリンジアダプタ１７０内に受け取られたとき、コレット３２は、ロック機構１７４の開口１８２によって受け取られる。コレット３２および患者コネクタ１７２を第２の位置で維持するために、ロック機構１７４はロック位置に移行され、その結果、ロック機構１７４は、コレット３２のロックインターフェース１７６に係合し、インジケータ１８４は、シリンジアダプタ１７０のロック状態を示す。
【００４１】
本開示について例示的な設計を有するものとして記載されているが、本開示は、本開示の精神および範囲内でさらに修正され得る。したがって、本願は、本開示の、その一般的な原理を使用する任意の変形形態、使用、または翻案を包含することが意図されている。さらに、本願は、本開示からのそのような逸脱を、本開示が関係し添付の特許請求の範囲の限定内に入る当技術分野における知られている、または慣例の実施内に入るものとして包含することが意図されている。
【図１】
2020503979.tif 000003
【図２】
2020503979.tif 000004
【図３】
2020503979.tif 000005
【図４】
2020503979.tif 000006
【図５】
2020503979.tif 000007
【図６】
2020503979.tif 000008
【図７Ａ】
2020503979.tif 000009
【図７Ｂ】
2020503979.tif 000010
【図８Ａ】
2020503979.tif 000011
【図８Ｂ】
2020503979.tif 000012
【図９Ａ】
2020503979.tif 000013
【図９Ｂ】
2020503979.tif 000014
【図１０Ａ】
2020503979.tif 000015
【図１０Ｂ】
2020503979.tif 000016
【図１１Ａ】
2020503979.tif 000017
【図１１Ｂ】
2020503979.tif 000018
【図１２Ａ】
2020503979.tif 000019
【図１２Ｂ】
2020503979.tif 000020
【図１３Ａ】
2020503979.tif 000021
【図１３Ｂ】
2020503979.tif 000022
【図１４Ａ】
2020503979.tif 000023
【図１４Ｂ】
2020503979.tif 000024
【図１５Ａ】
2020503979.tif 000025
【図１５Ｂ】
2020503979.tif 000026
【図１６Ａ】
2020503979.tif 000027
【図１６Ｂ】
2020503979.tif 000028
【図１７Ａ】
2020503979.tif 000029
【図１７Ｂ】
2020503979.tif 000030
【図１８Ａ】
2020503979.tif 000031
【図１８Ｂ】
2020503979.tif 000032
【図１９Ａ】
2020503979.tif 000033
【図１９Ｂ】
2020503979.tif 000034
【図２０】
2020503979.tif 000035
【図２１】
2020503979.tif 000036
【図２２】
2020503979.tif 000037
【図２３】
2020503979.tif 000038
【図２４】
2020503979.tif 000039
【図２５】
2020503979.tif 000040
【図２６】
2020503979.tif 000041
【図２７】
2020503979.tif 000042
【図２８】
2020503979.tif 000043
【図２９】
2020503979.tif 000044
【図３０】
2020503979.tif 000045
【図３１】
2020503979.tif 000046
【図３２】
2020503979.tif 000047
【図３３】
2020503979.tif 000048
【図３４】
2020503979.tif 000049
【図３５】
2020503979.tif 000050
【国際調査報告】
2020503979.tif 000051
2020503979.tif 000052
2020503979.tif 000053